Podtech/llm-jp-corpus-v4-ja_patent huggingface dataset:
(57)【要約】【課題】足場板全長の認識及び足場板半体同士が噛み合わされていない部位の認識を容易にした足場板を提供する。【解決手段】複数本の条材４，５を平行保持した一対の足場板半体２，３が、互いの条材４，５を交互に噛み合わせてすれ違い状に伸縮するように組まれた伸縮足場板において、複数本の条材４，５を保持するための連結部材６、及びバンドプレート７に、足場板半体の両端部を認識させるため、条材４，５の色とは異なる色をアルマイト処理あるいは塗料によって着色された連結部材６、及びバンドプレート７を取り付ける。【選択図】1【実用新案登録請求の範囲】
【請求項１】
複数本の条材を平行保持した一対の足場板半体が、互いの条材を交互に噛み合わせてすれ違い状に伸縮するように組まれた伸縮足場板において、複数本の条材を保持するための連結部材に、条材の色とは異なる色の連結部材が取り付けられていることを特徴とする足場板。
【請求項２】
前記連結部材には、アルマイト処理あるいは塗料によって着色されていることを特徴とする請求項１に記載の足場板。
【考案の詳細な説明】
【技術分野】
【０００１】
本発明は、複数本の条材を平行保持した一対の足場板半体が、互いの条材を交互に噛み合わせてすれ違い状に伸縮するように組まれた足場板に関するものである。
【背景技術】
【０００２】
従来、建築現場等で互いに隣接設置された足場や脚立等に対してその相互間へ架け渡して用いる足場板として、伸縮自在な構造を具備することによりスパンを所望長さに変更できるものが提案されている（実公平１−１１８７１号公報等参照）。
【０００３】
この種、足場板は、複数本の条材を平行保持した一対の足場板半体が、互いの条材を交互に噛み合わせてすれ違い状に伸縮するように組まれたもので、複数本の条材を平行保持するため、一方の足場板半体２の条材４の足場板長さ方向Ｂ一端側および他方の足場板半体３の条材５の足場板長さ方向Ｂ他端側は、それぞれ連結部材６によって相互に連結されている。また、一方の足場板半体２の条材４の足場板長さ方向Ｂ他端側および他方の足場板半体３の条材４の足場板長さ方向Ｂ一端側は、それぞれ全条材４，５に亘って外嵌されて足場板長さ方向Ｂに移動自在に支持されたバンドプレート７によって相互に連結されている。
【考案の開示】
【考案が解決しようとする課題】
【０００４】
しかしながら、足場板半体が伸縮自在な構造ゆえに、使用中の足場板の全長を一目で認識し難い場合があった。また、足場板半体同士が噛み合わされていない、足場板長手方向両端側の足場板半体部においては、互いの条材を交互に噛み合わせてすれ違い状に伸縮するように組まれているため、条材間に隙間部が設けられており、例えばボルトなどの小さい部品をこの隙間部に気付かずに落下させてしまう場合があった。本発明は、上記事情に鑑みてなされたものであって、足場板全長の認識及び足場板半体同士が噛み合わされていない部位の認識を容易にした足場板を提供することを目的とする。
【課題を解決するための手段】
【０００５】
本発明では上記目的を達成するために、次の技術的手段を講じた。なお、本発明の理解を容易にするために添付図面の参照符号を付記するが、それにより本発明が図示の形態に限定されるものではない。即ち、本発明に係る足場板では、複数本の条材４，５を平行保持した一対の足場板半体２，３が、互いの条材４，５を交互に噛み合わせてすれ違い状に伸縮するように組まれた伸縮足場板において、複数本の条材４，５を保持するための連結部材６，及びバンドプレート７に、条材４，５の色とは異なる色をアルマイト処理あるいは塗料によって着色された連結部材６，及びバンドプレート７を取り付けた。
【考案の効果】
【０００６】
請求項１に係わる発明の足場板によれば、足場板半体の長さ方向両端部を容易に認識することができるようになり、端部であることの注意を促すことができ、また足場板半体の隙間部が容易に認識できるようになり、隙間部から小さい部品を落下させてしまうことを防ぐことができる。
【０００７】
請求項２に係わる発明の足場板によれば、例えばテープなどの貼付作業や、別部材の取り付け作業が不要になるため、製作的に容易になる。
【考案を実施するための最良の形態】
【０００８】
以下、本発明の実施例を図面に基づいて説明する。図１において、１は建築現場等において作業床，作業員の通路の目的で構築される足場に採用される足場板であり、この足場板１は一対の足場板半体２，３からなり、各足場板半体２，３は、足場板幅方向Ａに間隔をおいて配置されたアルミニウム合金製の押出し材からなる棒状の条材４，５を備え、一方の足場板本体２の条材４は、他方の足場板本体３の条材５間に足場板長さ方向Ｂに移動自在に介在されている。
【０００９】
一方の足場板半体２の条材４の足場板長さ方向Ｂ一端側および他方の足場板半体３の条材５の足場板長さ方向Ｂ他端側は、それぞれ連結部材６によって相互に連結されている。また、一方の足場板半体２の条材４の足場板長さ方向Ｂ他端側および他方の足場板半体３の条材４の足場板長さ方向Ｂ一端側は、それぞれ全横材４，５に亘って外嵌されて足場板長さ方向Ｂに移動自在に支持されたバンドプレート７によって相互に連結されている。したがって、両足場板半体２，３は足場板長さ方向Ｂに相対移動自在とされ、これによって足場板１は長さ方向Ｂに伸縮自在に構成されている。この連結部材６及びバンドプレート７に、足場板半体の両端部であることを認識させるための条材４，５とは異なる着色が施されている。
【図面の簡単な説明】
【００１０】
本発明に係わる足場板の斜視図である。
【符号の説明】
【００１１】
１        足場板
２、３    足場板半体
４，５    条材
６        連結部材
７        バンドプレート
【図１】
0003104629.tif 000002
(57)【要約】      （修正有）【課題】自然エネルギ−だけで往復運動する雀追い装置を提供する。【解決手段】プロペラ軸に歯車を取り付け風力を機動力に変えて緊張した線上を往復運動走行しながら鳥獣を追い払うこととした風力利用往復運動雀追い装置。【選択図】図１
0003104624.tif 000002
【実用新案登録請求の範囲】
【請求項１】
プロペラ軸に歯車を取り付け風力を機動力に変えて緊張した線上を往復運動走行しながら鳥獣を追い払うことを目的とした風力利用往復運動雀追い装置。
【考案の詳細な説明】
【技術分野】
【０００１】  本考案は、自然エネルギ−、風を動力源とした雀追い装置に関するものである。
【背景技術】
【０００２】  今まで鳥獣追い払いには、爆音器や花火、あるいはビニ−ル紐や反射テ−プを利用したものがありました。
【考案の開示】
【考案が解決しようとする課題】
【０００３】  従来利用されていた爆音器や花火、あるいはビニ−ル紐や反射テ−プは、最初のうちは鳥獣の追い払いに効果を発揮します。しかし使っているうちに鳥獣が慣れてしまってその効果も徐々に減少し、最終的には全く鳥獣追い払いの効果を失ってしまいます。
【課題を解決するための手段】
【０００４】  本考案は、プロペラ軸に歯車を取り付け風力を機動力に変えて緊張した線上を往復運動走行しながら鳥獣を追い払うことを特徴とする。
【考案の効果】
【０００５】  本考案によれば自然エネルギ−である風力だけで緊張線上を自動で往復運動する雀等の鳥獣追い払い装置を実現できる。また、車輪に笛や鈴を取り付けることで、強風でプロペラの回転が速いときには笛が鳴り、遅いときには鈴が鳴る音を立てながら走行することの出来る雀追いが実現できる。
【考案を実施するための最良の形態】
【０００６】  この考案の実施例を図面に基づいて説明する。
１は歯車付きプロペラ、２は伝動歯車、３は緊張線上伝動歯車、４は線上走行車、５は変更支持棒、６は磁石（支持棒付き）、７は変行器、８は磁石（固定）、９は支持棒変行器移動受け車輪、１０は緊張用線である。
図２を用いて動作を説明する。まず風力でプロペラ１が回転すると、その回転が歯車２から緊張線上伝動歯車３に伝えられて、本雀追い装置が緊張線上を移動する。緊張線終端まで移動すると、緊張線終端部（支柱等）に変更支持棒５の先端が当たり、該支持棒が相対的に移動される。すると、該支持棒と一体になっている変行器７も移動し、該変行器に支持されている歯車２が歯車３との噛み合いを離れる。するとプロペラに連動している歯車が線上走行車４と噛み合い、本雀追い装置は緊張線上を逆方向に移動する。このように緊張線上を風力で走行し片側の支柱に変更支持棒５を当てて、変行器７内の歯車の噛み合いを変えることで緊張線上を自動で往復動することができる。また変更支持棒６は磁石６及び８の作用で所定の位置に固定することができる。
また、緊張線はビニ−ル紐でもよいが出来れば針金等の番線を張り、風力と磁石の組み合わせを有しダイナモを廻して発電した電気を番線に伝えることによって、電気牧柵を作り、鳥獣を近づけなくさせる。また熊除けには車軸に缶とか金棒を吊るすことで金属音を発生すれば可能である。
【図面の簡単な説明】
【０００７】
【図１】本考案の側面及び平面図である。
【図２】本考案の分解斜視図である。
【図３】本考案の使用例を示す図である。
【符号の説明】
【０００８】１    歯車付きプロペラ
２    伝動歯車
３    緊張線上伝動歯車
４    線上走行車
５    変更支持棒
６    磁石（支持棒付き）
７    変行器
８    磁石（固定）
９    支持棒変行器移動受け車輪
１０  緊張用線
【図１】
0003104624.tif 000003
【図２】
0003104624.tif 000004
【図３】
0003104624.tif 000005
(57)【要約】【課題】  １枚のみを分離することが可能でしかもシートそのものの二次加工を要しない使い勝手の良い多機能デスクマットを提供する。【解決手段】  少なくとも１枚が透明性を有する２枚の略方形状可撓性シート１Ａ，１Ｂの一辺部を互いに重ね合わせ、その一辺部箇所で、弾性材料から形成された咥込状挟止具２をその弾性に逆らい又は従って脱着自在に咥込状に取り付け挟止する。また咥込状挟止具２は、その断面の開口部が２枚重ねの可撓性シート１Ａ，１Ｂの（２枚分の）厚みより狭い略コないしＣ字状の押出成形物とする。【選択図】    図１
0003104622.tif 000002
【実用新案登録請求の範囲】
【請求項１】
少なくとも１枚が透明性を有する２枚の略方形状可撓性シートの一辺部を互いに重ね合わせ、その一辺部箇所で、弾性材料から形成された咥込状挟止具をその弾性に逆らい又は従って脱着自在に咥込状に取り付け挟止して成ることを特徴とする多機能デスクマット。
【請求項２】
咥込状挟止具が、断面において開口部が２枚重ねの該可撓性シートの厚みより狭い略コないしＣ字状の押出成形物である請求項１記載の多機能デスクマット。
【考案の詳細な説明】
【技術分野】
【０００１】  この考案は、机類の上面に載置敷設して使用するデスクマットにおいて、２枚重ねにしてより多機能にした多機能デスクマットに関する。
【背景技術】
【０００２】  机類の上に敷く軟質透明塩ビシートなどからなるデスクマットはよく知られているものであるが、なかには２枚のシートから成っていてその間にメモや印刷物などを挿入し、上側のシートを捲り上げるようにしてこれを出し入れできるようにしたものも各種見受けられる（例えば技術文献１、技術文献２、技術文献３、技術文献４参照）。【０００３】
【技術文献１】
実用新案登録第３０７３６０６号
【技術文献２】
実用新案登録第３０９３４８０号
【技術文献３】
実用新案登録第３０８３９１１号
【技術文献４】
実用新案登録第３０９５２２７号
【考案の開示】
【考案が解決しようとする課題】
【０００４】  上記のような公知の２枚重ねのデスクマット類は、いずれも２枚を一辺縁部で結合する際に、高周波ウェルダ等で加圧融着する（技術文献１）か、ステイプル等で止着してヒンジ結合する（技術文献２）か、鋲でカシメ止めする（技術文献３）などのように２枚が分離不可能状に固着されているために、傷みやすい上面のシートのみを取り替えたい場合も下面シートごと破棄しなくてはならないなどの問題点があった。【０００５】  また技術文献４においては、一方のシートの一側縁部に差し込み片を、他方のシートの一側縁部に係合孔を形成して、これを抜き差し可能に係合して二枚を分離可能状にしているが、これもシート自体の輪郭を複雑にカッティングする必要があるばかりか、係合箇所が浮き上がりがちで硬質又は厚手のシートには適用が困難であるなどの問題点があった。【０００６】  本考案はかかる現状から、１枚のみを分離可能でしかもシートそのものの二次加工を要しない使い勝手の良いデスクマットを提供することを課題とする。
【課題を解決するための手段】
【０００７】  少なくとも１枚が透明性を有する２枚の略方形状可撓性シート１Ａ，１Ｂの一辺部を互いに重ね合わせ、その一辺部箇所で、弾性材料から形成された咥込状挟止具２をその弾性に逆らい又は従って脱着自在に咥込状に取り付け挟止して、本考案の多機能デスクマットとする。【０００８】  ここで用いられる咥込状挟止具２は、次のようなものが最もシンプルで望ましい。すなわち断面において、開口部が２枚重ねの可撓性シート１Ａ，１Ｂの（２枚分の）厚みより狭い略コないしＣ字状の押出成形物であって、図２に示すようなものである。内壁には滑り止めのギザギザを筋状に形成してもよい。【０００９】  すなわち、弾性材料であるプラスチックなどを上記の形状の押出口より押出成形すれば、必然的に同一断面を有する長尺状の押出成形物が得られるから、これを適宜寸法に切断して、本考案の咥込状挟止具２にすることができる。
【考案の効果】
【００１０】
【００１１】  本考案のデスクマットは互いに分離できる２枚の可撓性シート１Ａ，１Ｂをその一辺縁部で咥込状挟止具２で一体化しており、その挟止着脱手段は該止具２のもつ弾性に従い又は逆らうのみであるから、該シート１Ａ，１Ｂには方形のまま何ら二次加工を施す必要がなく、咥込状挟止具２も長短適宜の寸法のものが至って低コストで用意でき、取り付け作業も容易であるから、２枚の該シートのうち１枚のみ取り替えたい場合でも、既製のありふれた同寸法の方形シートを用いることができると同時に、咥込状挟止具２を取り付けるシートの辺縁も左右上下の何れの箇所をも選ぶことができ、また一部の咥込状挟止具２のみを外してその近辺に挿入したメモ等を出し入れすることも可能であるから、様々なユーザーの使用情況に応じて便宜をはかることができるという効果がある。
【考案を実施するための最良の形態】
【００１２】  事務用机の上面寸法に合わせた長方形の２枚重ねのデスクマット用可撓性シート１Ａ，１Ｂの短辺片側縁部に、図２のような断面のプナスチック又はエラストマー（ゴム質材料）からなるアルミサッシ状長尺物を咥込状挟止具２として取り付ける。【００１３】  その際、咥込状挟止具２の開口部を指で押し広げるようにして図１のように取り付ければ、弾性の復元力で２枚の可撓性シート１Ａ，１Ｂは咥込状に挟止される。また外すときは同様に押し広げるようにする。なお、図のように咥込状挟止具２を辺縁全体の長さにせず、必要に応じ、より短いものを分割して複数箇所に取り付けるものとする。
【産業上の利用可能性】
【００１４】  既に述べたように、本考案に用いられる咥込状挟止具２などは在来の成形素材と成形技術で容易に獲得することができ、これによって得られる本考案の多機能デスクマットは甚だ使い勝手が良くて低コストであるから、産業上の利用可能性は十分であるといえる。
【図面の簡単な説明】
【００１５】
【図１】本考案一例の見取図
【図２】本考案に使用する咥込状挟止具一例の見取図
【符号の説明】
【００１６】  １Ａ，１Ｂ‥‥‥可撓性シート
２‥‥‥咥込状挟止具
【図１】
0003104622.tif 000003
【図２】
0003104622.tif 000004
(57)【要約】【課題】  この考案は、植物炭素繊維を用いたマットレスパッドで、植物炭素繊維の部分が簡単な方法で着脱できる構造であり、加えて植物炭素繊維の強度の補強を付加したものである。【解決手段】（イ）裏面中央部が凹型に窪んだマットレスパッドを縫製し、この部分に、別途に植物性炭素繊維を芯にして作られたパッドを装着する。（ロ）植物炭素繊維を芯にしたパッドは、植物性炭素繊維の表面に、通気性のよい布地を配し、さらに表裏となる布地を重ねて縫合する。【選択図】  図２
0003104623.tif 000002
【実用新案登録請求の範囲】
【請求項１】
（イ）マットレスパッドの裏面中央部に凹型の窪みをつくり、この部分に、植物性炭素繊維を芯にして作成した別のパッドを装着する。
（ロ）植物性炭素繊維の表面に通気性のある布地を配し、さらに表裏となる布地を重ねて縫合して、マットレスパッドに装着するパッドにする。
以上のごとく構成された、植物性炭素繊維を用いたマットレスパッド。
【考案の詳細な説明】
【考案の詳細な説明】
【技術分野】
【０００１】  この考案は、植物性炭素繊維を用いたマットレスパッドに関するものである。
【背景技術】
【０００２】  炭素繊維を縫着したものや、袋状の外側に、炭素繊維のシートを挿入して使用するもの等があるが、柔らかく壊れやすい植物性炭素繊維を、適合する方法で使用しているものはない。
【考案が解決しようとする課題】
【０００３】  本考案は、そのような欠点を除いて、身体にやさしい自然素材である植物性炭素繊維を、もっとも理想的な方法で使用したマットレスパッドを開発する。
【課題を解決するための手段】
【０００４】    いま、その解決手段を図面をおいながら説明すれば、
（イ）図１のマットレスパッド裏面（ｂ）の中央部に、窪んだ凹型部分（１）があるマットレスパッドを、布地を縫合して作成する。
（ロ）別途に、植物性炭素繊維を芯にしたパッド（ｃ）を、その断面図（ｄ）のとおり、植物性炭素繊維（４）の表面に、通気性のある布地を配し、さらに、表地（２）と、厚みと強度のある裏地（５）を重ねて縫合して作成する。
【考案実施の形態】
【０００５】  パッド（ｃ）を、マットレスパッド裏面の窪みである凹型部分（１）に、はめ込むようにして装着して、両方の接着部分の各コーナーに配したマジックテープで着脱する。
【考案の効果】
【０００６】（イ）マットレスパッドの本体の裏面を凹型に窪ませ、植物性炭素繊維を芯にしたパッドを装着する構造なので、着脱が簡単であるとともに、全体の体積が減少し、取り扱いが便利である。
（ロ）一般的な家庭用洗剤で劣化する植物炭素繊維の部分（パッド）が取り外せるので、別途に中性洗剤での洗濯や水洗いができて品質保持に便利である。
（ハ）植物性炭素繊維の表面に、通気性のある布地を配する組み合わせにより、就寝中の摩擦や重圧等に対する植物性炭素繊維の強度が向上するとともに、炭粉が縫い目や布地の織り目から外部に出ることを抑えて汚れを防止する。
（ニ）天然素材である植物性炭素繊維を、より良い方法で使用することにより、身体にやさしい遠赤外線、マイナスイオン、脱臭、抗菌等の効果による疲労回復効果や安眠効果が効率良く得られる。
【図１】
0003104623.tif 000003
【図２】
0003104623.tif 000004
【手続補正書】
【提出日】平成16年6月4日(2004.6.4)
【手続補正１】
【補正対象書類名】明細書
【補正対象項目名】全文
【補正方法】変更
【補正の内容】
【考案の詳細な説明】
【技術分野】
【０００１】  この考案は、植物性炭素繊維を用いたマットレスパッドに関するものである。
【背景技術】
【０００２】  炭素繊維を縫着したものや、袋状の内側に、炭素繊維のシートを挿入して使用するもの等があるが、柔らかく壊れやすい植物性炭素繊維を、適合する方法で使用しているものはない。
【考案が解決しようとする課題】
【０００３】  本考案は、そのような欠点を除いて、身体にやさしい自然素材である植物性炭素繊維を、もっとも理想的な方法で使用したマットレスパッドを開発する。
【課題を解決するための手段】
【０００４】    いま、その解決手段を図面をおいながら説明すれば、
（イ）図１のマットレスパッド裏面（ｂ）の中央部に、窪んだ凹型部分（１）があるマットレスパッドを、布地を縫合して作成する。
（ロ）別途に、植物性炭素繊維を芯にしたパッド（ｃ）を、その断面図（ｄ）のとおり、植物性炭素繊維（４）の表面に、通気性のある布地を配し、さらに、表地（２）と、厚みと強度のある裏地（５）を重ねて縫合して作成する。
【考案実施の形態】
【０００５】  パッド（ｃ）を、マットレスパッド裏面の窪みである凹型部分（１）に、はめ込むようにして装着して、両方の接着部分の各コーナーに配したマジックテープで着脱する。
【考案の効果】
【０００６】（イ）マットレスパッドの本体の裏面を凹型に窪ませ、植物性炭素繊維を芯にしたパッドを装着する構造なので、着脱が簡単であるとともに、全体の体積が減少し、取り扱いが便利である。
（ロ）一般的な家庭用洗剤で劣化する植物炭素繊維の部分（パッド）が取り外せるので、別途に中性洗剤での洗濯や水洗いができて品質保持に便利である。
（ハ）植物性炭素繊維の表面に、通気性のある布地を配する組み合わせにより、就寝中の摩擦や重圧等に対する植物性炭素繊維の強度が向上するとともに、炭粉が縫い目や布地の織り目から外部に出ることを抑えて汚れを防止する。
（ニ）天然素材である植物性炭素繊維を、より良い方法で使用することにより、身体にやさしい遠赤外線、マイナスイオン、脱臭、抗菌等の効果による疲労回復効果や安眠効果が効率良く得られる。
【図面の簡単な説明】
【０００７】
【図１】（ａ）マットレスパッド表面  本考案のマットレスパッドの表面（上面）の概略図（ｂ）マットレスパッド裏面  本考案のマットレスパッドの裏面（裏側）の概略図（ｃ）植物性炭素繊維を芯にしたパッド  本考案のマットレスパッドの裏面（ｂ）の（１）凹型部分に装着するためのパッド。（ｄ）植物性炭素繊維を芯にしたパッドの断面図  植物性炭素繊維を芯にしたパッド（ｃ）の断面の概要。
【図２】  本校案のマットレスパッドの裏面（裏側）に、植物性炭素繊維を芯にしたパッドを装着する状態を示す図。
【符合の説明】
【０００８】（１）凹型部分
本考案のマットレスパッドの裏面（裏側）に設けられた、植物炭素繊維を芯にしたパッド（ｃ）を装着するための凹型に窪んだ部分。
（２）表地
本考案のマットレスパッドの裏面（裏側）の凹型に窪んだ部分に装着する、植物炭素繊維を芯にしたパッド（ｃ）の表皮となる布地。
（３）通気性のある布地
植物炭素繊維を芯にしたパッド（ｃ）の、表地（２）と植物性炭素繊維（４）の間に配置された通気性のある布地。
（４）植物性炭素繊維
植物炭素繊維を芯にしたパッド（ｃ）の芯となる植物性炭素繊維。
（５）裏地
植物炭素繊維を芯にしたパッド（ｃ）の裏皮となる布地。
(57)【要約】【課題】古タイヤなど廃棄ゴムの処理は現代社会の重要課題であり、その有用なリサイクルが望まれている。また公共緑地などの雑草の駆除には多くの時間と労力がかかる。従来は農業用ビニールシートやネットで土を覆ったり除草剤を用いて雑草に対処する方法が用いられてきたが、前者は、通気、浸水に欠けるため土壌が変質し、栄養ある自然で豊かな土壌の維持が困難となる。また後者の方法では除草剤によって枯らされた雑草が美観を損ない、タバコの吸殻などに引火して火災を起こすことさえある。さらに雑草管理には多大の労力と費用がかかっている。【解決手段】  本考案は古タイヤなどゴム製廃棄物の破砕材料を使用した環境保護用雑草防止マットである。このマットは上層から下層にかけて顆粒が次第に細かくなるように配置したものに湿気硬化型ポリウレタン飽和樹脂や二液性接着剤などによる加工を施し、さらに平面に圧縮成形することにより、通気性と通水性を持ち、同時に下からの雑草の生長を妨げ、さらに最上層に防火処理と美化の塗料を施したものである。これを公共緑地などに多用することにより廃棄ゴムのリサイクルを促し雑草管理の費用と労力の削減を図る。【選択図】図１
0003104630.tif 000002
【実用新案登録請求の範囲】
【請求項１】
古タイヤなどゴム廃棄物の破砕材料を使用し、上層から下層にかけて顆粒が次第に細かくなるように配置したものに接着加工を施し、それを平面に圧縮成形することにより、通気性と通水性を持ち、同時に下からの雑草の生長を妨げ、さらに最上層に防火処理と美化の塗料を施した環境保護用雑草防止マット
【考案の詳細な説明】
【技術分野】
【０００１】  本考案は反逆浸透の原理を利用して水の浸透を可能にし、同時に通気性をも保持することにより土壌中の生物活動を妨げることなく生態バランスを保ち、かつ雑草の生長を抑制することを目的とした、古タイヤなどゴム製廃棄物を破砕利用したゴムマットに関する。
【背景技術】
【０００２】  従来の雑草防止用具には、ビニールシート（通気性なし）、おがくず、炭くず、ポリ塩化ビニル製のネットなどが用いられていたが、雑草防止の効果は顕著ではなかった。
【考案の開示】
【考案が解決しようとする課題】
【０００３】  雑草は園芸の敵である。雑草の駆除には多くの時間と労力がかかり、それを怠ると雑草の生長が目的植物の成長より旺盛になってしまうことさえある。一般には農業用ビニールシートやネットで土を覆ったり（図２を参照）除草剤を用いて雑草に対処する方法が用いられてきたが、前者の問題点は、通気、通水、通光性に欠けるため土壌が変質し、栄養ある自然で豊かな土壌の維持が困難となる。また後者の方法では除草剤によって枯らされた雑草が美観を損ない、タバコの吸殻などに引火して火災を起こすことさえある。そのため雑草の管理にかかる費用を節約するためコンクリートなどで土を覆ってしまった土地所有者もある。高速道路などのグリーンベルトの雑草管理もやはり膨大な労力と費用がかかり、除草機を用いても死角の雑草処理が容易ではない。【０００４】  現代社会のもう一つの問題は古タイヤなどゴム廃棄物のリサイクル方法である。先進諸国においてはゴム廃棄物の処理はその科学組成のゆえに深刻な問題となっている。埋め立てにしても焼却にしてもその毒性や耐食性のために理想的な処理方法が見つけられないのが現状である。
【課題を解決するための手段】
【０００５】  本考案は古タイヤなどゴム製廃棄物の破砕材料を使用した環境保護用雑草防止マットである。このマットは上層から下層にかけて顆粒が次第に細かくなるように配置したものに湿気硬化型ポリウレタン飽和樹脂や二液性接着剤などによる加工を施し、さらに平面に圧縮成形することにより、通気性と通水性を持ち、同時に下からの雑草の生長を妨げ、さらに最上層に防火処理と美化の塗料を施したものである（図１を参照）。
【考案の効果】
【０００６】  本考案の主要原料は古タイヤなどゴム廃棄物である。本考案はゴム廃棄物の特性である重量、地面との粘着性、耐食性、防火性、柔軟性などを利用したもので、単に自重による雑草の抑制を行うだけではなく、通気性や浸水性をも備えているため（図３、図４を参照）土壌の砂漠化を防ぎ本来の状態に保つ助けとなる。また除草剤などによる土壌汚染を防ぐことにもなり、枯れ草が美観を損なったり火災のもとになることをも防止するものとなる。本考案の施工も容易で長期にわたる重複使用も可能である。本考案を利用するならば、花壇や街路樹、また高速道路のグリーンベルトなど雑草の管理が必要な場所において美観を保ちつつ、今まで雑草駆除に要していた多大の労力と費用の節約になり、ゴム廃棄物の有用なリサイクルを促すことになる。
【考案を実施するための最良の形態】
【０００７】  古タイヤから得られたゴム破砕料を上層から下層にかけて顆粒が次第に細かくなるように配置したものに湿気硬化型ポリウレタン飽和樹脂や二液性接着剤などによる加工を施し、さらに平面に圧縮成形する。（図４参照）。これを道路の街路樹の周り（図１、図３、図６）や花壇（図５）に敷設する。
【産業上の利用可能性】
【０００８】  花壇の対象植物や街路樹の周囲、また高速道路のグリーンベルトの目的植物の周囲の敷設マットとして利用する。また雑草の抑制が必要なその他のすべての場所の保護と管理に利用する。
【図面の簡単な説明】
【０００９】
【図１】本考案の立体図
【図２】従来の雑草防止用ネット
【図３】本考案の立体分解図
【図４】本考案の原理説明図
【図５】本考案の使用状態説明図
【図６】本創作使用例の立体図（道路の街路樹）
【図７】本創作使用例の鳥瞰図（道路の街路樹）
【符号の説明】
【００１０】
【図１】
１−１  雑草防止用マット
１−２  植物用の穴（必要に応じて切断）
１−３  土
１−４  植物
１−５  図３の切断面
【図２】
２−１  黒色ビニールネット
２−２  中空単層ネット
【図３】
３−１  雑草防止用マット
３−２  植物用の穴
３−３  土
３−４  植物
３−５  断面線（図２を参照）
【図４】
４−１  水が浸透する方向
４−２  通気方向
４−３  粗いゴム顆粒
４−４  中程度のゴム顆粒
４−５  細かいゴム顆粒
【図５】
５−１  雑草防止用マット
５−２  植物
５−３  土
５−４  コンクリート壁
【図６】
６−１  雑草防止用マット
６−２  植物
６−３  コンクリート壁
【図７】
７−１  雑草防止用マット
７−２  植物
７−３  中央分離帯コンクリート柱
【図１】
0003104630.tif 000003
【図２】
0003104630.tif 000004
【図３】
0003104630.tif 000005
【図４】
0003104630.tif 000006
【図５】
0003104630.tif 000007
【図６】
0003104630.tif 000008
【図７】
0003104630.tif 000009
(57)【要約】【課題】自然素材を使用し、自然の温もりを感じることができる造花の提供【解決手段】この考案の造花は、冠婚葬祭用又はインテリア用の造花であって、該造花Ａの花弁１を、樹木の葉の葉身を除去した葉脈２のみから構成している、したがって、自然の温もりを感じることができるとともに、樹木の葉の葉脈を、人為的に成形することなく、そのまま、花弁に使用しているので、見る人に感動を誘起するような重厚感を備え、自然の温もりを感じることができる。【選択図】 図１
0003104694.tif 000002
【実用新案登録請求の範囲】
【請求項１】
冠婚葬祭用又はインテリア用の造花であって、該造花（Ａ）の花弁（１）を、樹木の葉の葉身を除去した葉脈（２）のみから構成したことを特徴とする造花
【考案の詳細な説明】
【技術分野】
【０００１】
この考案は、冠婚葬祭用又はインテリア用の造花に関するものである。
【背景技術】
【０００２】
冠婚葬祭用又はインテリア用の造花の材料としては、布、紙、粘土、プラスチックなどが使用されていたので、次のような問題点があった。
【０００３】
（１）自然の温もりが乏しい。
（２）布、紙、粘土、プラスチックなどの加工素材を、人為的に花弁の形に成形したものであるので、見る人に感動を誘起するような重厚感がない。
（３）粘土、プラスチック材からなる造花を廃棄する際には、不燃物として処理しなければならない。
（４）自然を感じることができない。
（５）インテリアとして長期に飾っておくと、飽きがくる。
【０００４】
【特許文献１】実公平８−６００３号公報
【考案の開示】
【考案が解決しようとする課題】
【０００５】
この考案は、背景技術で記述した問題点を解消するためになされたもので、自然素材を使用し、自然の温もりを感じることができる造花の提供を目的とするものである。
【課題を解決するための手段】
【０００６】
この考案の造花は、冠婚葬祭用又はインテリア用の造花であって、該造花の花弁を、樹木の葉の葉身を除去した葉脈のみから構成したことを特徴とするものである。
【考案の効果】
【０００７】
この考案は上述のように構成されているので、次のような効果を呈する。
（１）自然の温もりを感じることができる。
（２）樹木の葉の葉脈を、人為的に成形することなく、そのまま、花弁に使用しているので、見る人に感動を誘起するような重厚感を備えている。
（３）自然素材であるので、造花を廃棄する際には、可燃物として処理できる。
（４）自然を感じることができる。
（５）インテリアとして長期に飾っておいても、飽きがこない。
【考案を実施するための最良の形態】
【０００８】
自然素材を使用し、自然の温もりを感じることができる造花の提供という目的を、造花の花弁に樹木の葉の葉脈を使用することによって実現できた。
【実施例】
【０００９】
この考案の実施の形態の一例を図面を参照しながら説明するに、冠婚葬祭用又はインテリア用の造花であって、図１に示すように、造花Ａの花弁１を、図２に示すように、樹木の葉の葉身を除去した葉脈２のみから構成している。
【００１０】
図１において、３は、例えば、乾燥したひまわりなどからなる花芯である。葉脈２は、例えば、樹木の葉を、真水に浸し、重しを載せておき、しばらく放置したのち、ブラシなどで葉身をこすり落として除去し、再度真水できれいに洗浄したのち、天日で乾燥させて作る。
【００１１】
したがって、炭酸ナトリウムなどの薬品は一切使用していないので、薬害などの恐れは全くない。
【００１２】
図３は、造花Ａを、初盆、法事などの儀式用の篭盛容器４の縁部に飾り付けた例を示している。図３において、５は乾燥させた椰子の葉である。
【００１３】
花弁１を構成する葉脈２には、適宜に色彩を施すことは自由である。葉脈２を作るための樹木の葉としては、特に限定はないが、ゴムの木の葉、椿の葉など網状脈がしっかりしている広葉樹の葉などが適当である。
【００１４】
図４は、結婚式などで使用するブ−ケの一例である。葉脈２という全くの自然素材でできたブ−ケであるので、柔らかさと和みを与え、雰囲気を盛り立てる効果がある。
【００１５】
なお、葉脈２は、透けて見えるので、インテリアとして飾る場合には、造花Ａの背後から光が差し込むような場所に配置すると、光が葉脈２を通過するときに、乱反射などを起こし、感動的な光の芸術を創出することができる。
【産業上の利用可能性】
【００１６】
この考案は上述のように構成されているので、冠婚葬祭用又はインテリア用の造花としての利用が可能である。
【図面の簡単な説明】
【００１７】
【図１】考案の一実施例を示す概略斜視図
【図２】葉脈の一例を示す斜視図
【図３】篭盛り一実施例を示す平面図
【図４】ブ−ケの一実施例を示す概略斜視図
【符号の説明】
【００１８】
１ 花弁
２ 葉脈
３ 花芯
４ 篭盛容器
５ 乾燥した椰子の葉
【図１】
0003104694.tif 000003
【図２】
0003104694.tif 000004
【図３】
0003104694.tif 000005
【図４】
0003104694.tif 000006
(57)【要約】【課題】  従来、運動会の障害物競争では、最後の難関に「俵担ぎ」があり、手作りの「俵」が用意されていた。これは運動会前に、麻袋を買ってきてそれに砂を詰め、荒縄で縛って作ったものである。それは、運動会後は形が崩れ、破れ、更に、砂は腐るので捨てるしかなかった。つまり、「俵」は毎年、作らねばならなかった。  また、近年、児童生徒の体位は上がったものの、基礎体力は弱まり、特に、運動中の上あるいは斜めからの負荷に弱い面が見受けられるようになった。つまり足腰が弱い傾向が見られるようになった。【解決手段】  それを、改善しようとして考案したものである。  長方形の俵状の袋とそれを囲む帯を、丈夫なケンパスや合成皮革で作り、それに焼くかあるいは消毒して腐らないようにした砂の入った小袋を詰めて、運動会用具の「俵」としたものである。  これを担いで走れば、足腰の強化に役立ち、運動用具としての効果も期待される。【選択図】    図４
0003104615.tif 000002
【実用新案登録請求の範囲】
【請求項１】
運動会で、障害物競争の「俵かつぎ」に使用するための、長年の使用に耐える「俵」状の運動用具。
【考案の詳細な説明】
【考案の詳細な説明】
【技術分野】
【０００１】  本案は、焼くかあるいは消毒した砂の入った小袋を、ケンパスまた、合成皮革で作った丈夫な長方形の俵状の袋に詰めて、これを肩に担いで走る、運動会用具を考案したものである。
また、足腰を鍛える運動用具としても利用出来る。
【背景技術】
【０００２】  従来、学校の運動会の障害物競争では、最後の難関として、「俵かつぎ」があった。それは、運動会のたびに、事前に、体育教師が麻袋を買ってきてそれに砂を入れ、荒縄で束ねて複数の俵を作り、用意したものである。
【考案が解決しようとする課題】
【０００３】  だが、俵を作るには手間がかかり、使った後も、砂は腐って捨てるしかなく、また、俵そのものも破れて、長年の使用に耐えないという欠点があった。
また、近年、児童生徒の体位は向上したものの、基礎力は弱まってきている。特に、運動中の、上あるいは斜めからの負荷に弱い傾向が見られるようになった。
【０００４】  本考案は、このような従来の欠点をなくすためになされたもので、安価で、長年の使用に耐える運動会用具、および運動用具としての「俵」を考えてみた。
【課題を解決するための手段】
【０００５】  上記目的を達成するために、本考案は下記のように工夫してみた。
「俵」の袋と帯は、ケンパスか合成皮革を用い、それに焼くか消毒した砂の小袋を四つないしは六つ詰めて閉じ、運動会用具の「俵」として長年の使用に耐えるようにしたものである。
【０００６】  形としては、長方形の俵状の袋の外側に、帯をつけて手が入るようにし、手で握りやすいようにする。また、俵の中は、仕切りを設け、砂を入れた小袋が極端に移動することのないように作る。
【考案を実施するための最良の形態】
【０００７】  形は同じであるが、大きさと重さは、１０キロ、１５キロ、２０キロ、２５キロ、３０キロ……と作り分け、それを使う小、中、高校生に合わせるようにした。
【考案の効果】
【０００８】  運動会のたびに、教師が「俵」を作る手間がなくなる。
また、競技者の足腰を強くする運動用具としても使える。
【図面の簡単な説明】
【図１】  本考案の正面図である。
【図２】  本考案の側面図である。（ａ  横図  ｂ  縦図）
【図３】  本考案の断面図である。（ａ  横図  ｂ  縦図）
【図４】  本考案の斜視図である。
【符合の説明】
１  本体
２  帯
３  仕切り
４  砂袋
【図１】
0003104615.tif 000003
【図２】
0003104615.tif 000004
【図３】
0003104615.tif 000005
【図４】
0003104615.tif 000006
【手続補正書】
【提出日】平成16年5月13日(2004.5.13)
【手続補正１】
【補正対象書類名】実用新案登録請求の範囲
【補正対象項目名】全文
【補正方法】変更
【補正の内容】
【実用新案登録請求の範囲】
【請求項１】
・  運動会で、障害物競争の「俵かつぎ」に使用するための、「俵」状の運動用具。
・  「俵」の袋と帯は、ケンパスか合成皮革を用いる。俵には、四つないしは六つの、砂を詰めた小袋を入れるが、それぞれが移動しないよう俵の中に仕切りを設ける。
・  中にいれる小袋には、腐らないように、焼くかもしくは消毒した砂を詰める。
以上の構成から成る運動用具である。
(57)【要約】  従来、風邪及び花粉時期に鼻腔から鼻水が流れるのを防ぐためには、内服薬又はティシュペーパーを鼻腔に入れていた。  本考案は、生理用品の吸収部分を細かくしたのを鼻腔の穴の内輪に合わせたリングに付け、鼻腔内に入れ、花粉時又は風邪の時に鼻腔外へ流れる鼻汁を吸収し、鼻腔外へ流れるのを防ぐ用品を開発した。【目的】  本考案によって、薬の副作用及び、ティシュペーパーの詰め込むという見た目も気にせず生理用品の吸収帯で鼻汁を取り除くことができる。  吸収したカフタンは、塵で処分することができる。  外見もよくなった。【選択図】以下添付図面に従って実施例を説明する。本図は考案実施の一例を示すものである。▲１▼〜▲３▼は基本のカフタンである。カフタンをピンセット▲５▼で▲４▼を摘み鼻腔に入れます。カフタンを図４のように鼻腔に入れることによって、鼻腔内の鼻水▲５▼を吸収帯▲３▼が吸収し、▲３▼は▲２▼へ膨張する。充分に▲３▼が吸収すると鼻水▲５▼は外部へ流出することがなくなる。再び▲４▼を▲５▼で摘み、鼻腔外へ出し、捨てる。【図面の簡単な説明】図１  「カフタン」を正面から見た図である。図２  「カフタン」を側面から見た図である。図３  「カフタン」が、鼻水を吸収する前と吸収した後の図である。図４  鼻腔内に「カフタン」を出し入れする図面である。0003104617.tif 0000020003104617.tif 000003
【実用新案登録請求の範囲】
生理用品の吸収部分を細かくしたのを鼻腔の穴の内輪に合わせたリングに付け、鼻腔内に入れ、花粉時又は風邪の時に鼻腔外へ流れる鼻汁を吸収し、鼻腔外へ流れるのを防ぐ用品。
【考案の詳細な説明】
【考案の詳細な説明】
【産業上の利用分野】
【０００１】花粉時又は、風邪の時に鼻汁が、鼻腔外へ流れるのをティッシュペーパーで防いでいたのを、カフタンで吸収し、確実に鼻腔外へ流れるのを防ぐことが出来る。
【背景技術】
【０００２】ティッシュペーパー等で鼻を咬む、鼻腔内に詰め込むか又は、鼻水防止薬を飲んで止めることしかなかった。
【考案が解決しようとする課題】
【０００３】鼻腔から出る鼻汁をマスクで覆ったり、ティッシュペーパーを鼻腔内に詰め込んだりすると見た目が悪い点、ティッシュペーパーで咬んで鼻が赤くなる点、内耳炎を防ぐ点にある。
【課題を解決するための手段】
【０００４】請求項に記載した通り。
【作用】
【０００５】鼻水が、鼻腔から外へ出るのを防ぐために、鼻腔の穴の内輪に模った網目のリングに生理用品に使われているのと同じような小型の吸収帯を付け、鼻汁が出たときに吸収帯で吸収させる。吸収した吸収帯を取替える。左右のリングが、外に出ないようにリングを鼻腔内に固定させる。
【実施例】
【０００６】以下添付図面に従って実施例を説明する。
本図は考案実施の一例を示すものである。▲１▼〜▲３▼は基本のカフタンである。カフタンをピンセット▲５▼で▲４▼を摘み鼻腔に入れます。カフタンを図４のように鼻腔に入れることによって、鼻腔内の鼻水▲５▼を吸収帯▲３▼が吸収し、▲３▼は▲２▼へ膨張する。充分に▲３▼が吸収すると鼻水▲５▼は外部へ流出することがなくなる。再び▲４▼を▲５▼で摘み、鼻腔外へ出し、捨てる。
【考案の効果】
【０００７】鼻腔内に吸収帯付のリングによって、ティッシュペーパーで鼻汁を抑えたりすることもなくなり、外見上もよくなった。
【図面の簡単な説明】図１  「カフタン」を正面から見た図である。
図２  「カフタン」を側面から見た図である。
図３  「カフタン」が、鼻水を吸収する前と吸収した後の図である。
図４  鼻腔内に「カフタン」を出し入れする図面である。
【図１】
0003104617.tif 000004
【図２】
0003104617.tif 000005
【図３】
0003104617.tif 000006
【図４】
0003104617.tif 000007
(57)【要約】      （修正有）【課題】タオルのすべての個所（両端から中央にいたるまで）を効率的に使用するために２つ折りにしたタオルの、切れた両端を上にした状態でも吊り下げることができるひも式タオルかけの提供。【解決手段】タオルをかける部分を環状のひもにし、輪の途中に、輪を８の字状にするためのコードストッパーをとりつける。８の字状になったひもの下の輪に、切れた両端を合わせた状態でタオルを通す。コードストッパーを下方向にさげ、下の輪をしぼり、通したタオルを固定する。【選択図】図１
0003104613.tif 000002
【実用新案登録請求の範囲】
【請求項１】
タオルを引っ掛ける部分を環状のひもにし（図１−１）、その輪を８の字状にするためにコードストッパー（図１−２）をとりつける。８の字状になったひも（図１−３）の下の輪にタオルをひっかけ、下の輪の大きさを絞ることによってタオルを固定する。この方法によって、２つ折りにしたタオルの両端を合わせた方を上側にしても、タオルを吊り下げられるようにした、ひも式のタオルかけ。
【考案の詳細な説明】
【技術分野】
【０００１】本考案は、一般的なタオルのすべての個所（両端から中央にいたるまで）を効率的に使用するために、タオルを逆さにした状態（タオルを２つ折りにし、その両端を合わせ、上にした状態）でも吊り下げて使用することができるようにしたものである。
【背景技術】
【０００２】従来は、２つ折りにしたタオルを棒状のものに引っ掛けるタイプのものしかなかった。
【考案の開示】
【考案が解決しようとする課題】
【０００３】タオルかけに垂れ下げられたタオルは、設置されたタオルかけの位置によって、利用されるタオルの場所が上方面か下方面のいずれかにかたよってしまうことが多い。これは、２つ折りにしたタオルの折れた方が必ず上になり、切れたタオルの両端を上にすることが出来ないために発生する問題である。本考案は、この問題を解決するものである。
【課題を解決するための手段】
【０００４】タオルをかける部分を環状のひも（図１−１）にし、輪の途中に、輪を８の字状にするためのコードストッパー（図１−２）をとりつける。８の字状になったひもの下の輪（図１−３）に、切れた両端を合わせた状態でタオルを通す。コードストッパーを下方向にさげ、下の輪をしぼり、通したタオルを固定する。
【考案の効果】
【０００５】２つ折りにしたタオルの、切れた両端の方を上にした状態でも使用できるため、タオルのすべての場所をまんべんなく利用することができる。
【図面の簡単な説明】
【０００６】
【図１】  本考案による、ひも式のタオルかけ本体の図
【符号の説明】
【０００７】    １  環状にしたひも
２  コードストッパー
３  タオルをかけるための輪
４  止め玉
５  吸盤
６  基部
７  切れた両端を上にした状態のタオル
【図１】
0003104613.tif 000003
【手続補正書】
【提出日】平成16年5月6日(2004.5.6)
【手続補正１】
【補正対象書類名】実用新案登録請求の範囲
【補正対象項目名】全文
【補正方法】変更
【補正の内容】
【実用新案登録請求の範囲】
【請求項１】
タオルを引っ掛ける環状のひも１と、前記環状のひも１を８の字状にするためのコードストッパー２とを備え、前記コードストッパー２で８の字状になったひもの下の輪３を絞ることにより、下の輪に引っ掛けられたタオルを固定することを特徴とするひも式のタオルかけ。
(57)【要約】【課題】女性が通勤・通学・買い物など、雨の日の外出用に利用するための、軽やかでファッション性も備えた膝下全体を覆えるロングタイプの長靴の胴部を、必要に応じて足首まで折り畳んで使用できるようにする。【解決手段】防水加工、撥水加工、防しわ加工などの施された、水や折り癖に強い薄手の素材（布など）で製作された長靴において、長靴の胴内後部の足首から足入れ口にかけて数枚の折り重ね用の板（しん）を縫いつけ、それぞれの板の上にひも通し用のリングを固定し、このリングに一方を足首位置で靴に固定したひもを通し、最上部のリング位置でひもをひきしぼることで胴部を順次折り重ねる、という構成を具備することで、長靴の胴部を必要に応じて伸ばしたり縮めたりすることを可能とし、併せて布などの薄手の素材を使用することで、軽やかでファッショナブルなデザインが可能となる。【選択図】図１
0003104616.tif 000002
【実用新案登録請求の範囲】
【請求項１】
防水加工、撥水加工、防しわ加工などの施された、水や折り癖に強い薄手の素材（布など）で製作された長靴において、長靴の胴内後部の足首から足入れ口にかけて数枚の折り重ね用の板（しん）を縫いつけ、それぞれの板の上にひも通し用のリングを固定し、このリングに一方を足首位置で靴に固定したひもを通し、最上部のリング位置でひもをひきしぼることで胴部を順次折り重ねる、という構成を具備することで、長靴の胴部を必要に応じて伸ばしたり縮めたりすることを可能とし、併せて布などの薄手の素材を使用することで、軽やかでファッショナブルなデザインが可能となる伸び縮みタウン長靴。
【考案の詳細な説明】
【技術分野】
【０００１】  本考案は、胴の部分を必要に応じて伸ばしたり縮めたりできる長靴に関する。
【背景技術】
【０００２】  長さを調節できる長靴は、ゴムの厚みを薄くして折り返すものや（特許文献１参照）、蛇腹の伸び縮みによるもの（特許文献２〜４参照）、他（特許文献５参照）が発明・考案されている。
【特許文献１】実開昭５８−８４７０４（長さ調整可能な長靴）
【特許文献２】実開昭５９−９１１０３（長さ調整可能な長靴）
【特許文献３】実開平０１−３９００８（合成樹脂製水仕事用ブーツ）
【特許文献４】特開平１０−３２３２０１（風呂掃除作業用のブーツ）
【特許文献５】特開平０７−２５５５０２（靴、特に長靴）
【考案の開示】
【考案が解決しようとする課題】
【０００３】  しかしながら、これまでの発明・考案は、水仕事などの業務で使用するために発明・考案された、あるいはそう推察されるような、素材、デザインともに頑丈なつくりの長靴であるため、女性が通勤・通学・買い物など、雨の日の外出用に利用するにはファッション性が乏しかった。
【課題を解決するための手段】
【０００４】  本考案は、防水加工、撥水加工、防しわ加工などの施された、水や折り癖に強い薄手の素材（布など）で製作された長靴において、長靴の胴内後部の足首から足入れ口にかけて数枚の折り重ね用の板（しん）を縫いつけ、それぞれの板の上にひも通し用のリングを固定し、このリングに一方を足首位置で靴に固定したひもを通し、最上部のリング位置でひもをひきしぼることで胴部を順次折り重ねる、という構成を具備することで、長靴の胴部を必要に応じて伸ばしたり縮めたりすることを可能とし、併せて布などの薄手の素材を使用することで、軽やかでファッショナブルなデザインが可能となり、上記問題を解決するものである。
【考案を実施するための最良の形態】
【０００５】  図１に示すように、長く伸ばした状態は、主として降雨時に使用する形態で、膝下全体を覆うのに十分な長さを有している。歩行中に衣類（スカートやコート）と長靴とで覆いきれない脚部が雨水に濡れるのを大幅に改善し、同時に脚部を流れ落ちた雨水が靴内部に流入するのを防ぐ。長靴が自立性に乏しい素材で構成されるため、この形態を保って使用するために、足入れ口（長靴の最上部）付近にずり落ち防止用の留め具を設置する。【０００６】  図２に示すように、短く縮めた状態は、雨があがった状況で使用する形態で、長靴の胴を足首まで短く折っている。長靴胴内後部に縫いつけた数枚の折り重ね用の板（しん）を軸に、これをひもで順に引き寄せることで、雨で濡れた長靴の外側と濡れていない内側とが互いに接しないよう折り重ねる。短くすることで雨上がりの晴天時に長靴が目立たず、また蒸し暑くならない。歩行中に、折り重ねた部分が両脇にはみ出したりかかとから垂れ下がって引きずることがないよう、長靴内部のくるぶしの横に成形維持用の留め具を設置する。【０００７】  図３に示すように、胴の部分を左右併せて折り畳んだ状態は、非使用時に収納するための形態である。折り重ね用に縫いつけた板（しん）が左右対称であるため、これをそろえて折ることで規則正しく折り重ねられる。板（しん）のない前部と板（しん）のある後部を併せて前向きに折り重ねることもできる。これで高さのない下駄箱にも容易に収納することができる。
【考案の効果】
【０００８】０００７項に記した以外に、ひもを引くだけで折り重ねられるので、自分で折る手間がかからない。履いてから伸ばし、短くしてから脱げばよいので、履きやすく脱ぎやすい。防寒ブーツのように足首を固定しないので、歩行時に足に負担がかからず、階段の上り下りも危険ではない。等の効果がある。
【図面の簡単な説明】
【０００９】
【図１】降雨時に伸ばして履く状態
【図２】雨上がり時に折り畳んで短くして履く状態
【図３】収納用に折り畳んだ状態
【符号の説明】
【００１０】１  膝下留め具
２  ホック
３  成形維持用留め具（羽）下右
４  成形維持用留め具（羽）下左
５  成形維持用留め具（羽）上右
６  成形維持用留め具（羽）上左
７  引き締め用ひも右
８  引き締め用ひも左
９  ひも通し用リング
１０折り重ね用板（しん）
【図１】
0003104616.tif 000003
【図２】
0003104616.tif 000004
【図３】
0003104616.tif 000005
【手続補正書】
【提出日】平成16年3月15日(2004.3.15)
【手続補正１】
【補正対象書類名】図面
【補正対象項目名】全図
【補正方法】変更
【補正の内容】
【図１】
0003104616.tif 000006
【図２】
0003104616.tif 000007
【図３】
0003104616.tif 000008
【手続補正書】
【提出日】平成16年5月26日(2004.5.26)
【手続補正１】
【補正対象書類名】実用新案登録請求の範囲
【補正対象項目名】請求項１
【補正方法】変更
【補正の内容】
【請求項１】
防水加工、撥水加工、防しわ加工などの施された、水や折り癖に強い薄手の素材で製作された長靴において、長靴の胴内後部の足首から足入れ口にかけて数枚の折り重ね用の板を縫いつけ、それぞれの板の上にひも通し用のリングを固定し、このリングに一方を足首位置で靴に固定したひもを通し、最上部のリング位置でひもをひきしぼることで胴部を順次折り重ねる、という構成を具備することで、長靴の胴部を必要に応じて伸ばしたり縮めたりすることを可能とし、併せて布などの薄手の素材を使用することで、軽やかでファッショナブルなデザインが可能となる伸び縮みタウン長靴。